(57)【要約】産業上の利用分野オリジナル  アイラッシュ  バタフライ  ガードは、お肌の美容分野で使用されており、アイメイクアップを塗る際、または、アイメイクアップを落とす際の、目、まつげの使い捨てシールドとして、まつげの色合い、人工のアイラッシュを広げ、そして化粧を永続させる。アイラッシュガードは、鼻筋のまわりの形にしっかりと、どんなサイズにでもアイラッシュのルーツに完璧に合い、顔の両サイドを固定する。それによって、自由に、手を汚さずに化粧ができ、または、ほかの特徴の手順を行うことができる。アイラッシュガードは、綺麗になりたいすべての人のために、日常で化粧をすることの喜びをもたらし、その基準を上げるようにする。オリジナル  アイラッシュ  バタフライ  ガードは、多く時間、お金を節約したい方、アイラッシュと肌を、ダメージから守る道具が欲しい方のためのものです。
2012509090.tif 000002
【特許請求の範囲】
【請求項１】
本商品は、アイメイクアップの使用効果から成るためのもの。
ａ．本体の長い対称を、鼻の中心線から、正確に両側の目の下のエリア、または、まぶたを、人間の眼球に一致させる。
ｂ．本体は、自然な、光線、細く柔軟な素材でできている。
ｃ．本体の中心部分の幅は、おおむねに全本体より幅が狭くできている。
【請求項２】
商品クライム１は、柔軟なメタルの箇所を曲げやすく組み入れ、本体の中心部が鼻筋の周りの形にしっかりと固定する。
ａ．メタルの箇所は商品を、どんなサイズにも適切に合わせ、目の形や位置、まつげのルーツの近くに持って行く事ができる。
ｂ．メタルの箇所は、本体をふさわしい場所に保つ助けをする。
【請求項３】
商品クライム１は、長い本体で、輪状の形の耳ゴムひもと接続し、使用者の顔の両側を固定する、それによって、手を使わずに化粧ができ、または、広範囲の美容手順、目のまわりの特徴を説明する。
【発明の詳細な説明】
【背景技術】
【０００１】  オリジナル  アイラッシュ  バタフライ  ガードの現在の考案は、美容分野で使用される使い捨てシールドを使い、アイメイクアップ中メイクにが落ちるのを、肌、目、まつげを守るものである。【０００２】  目のまわりのエリアは、どんな美容の処置の分野でも、絶対的重要な意味を持ちます。
アイメイクアップをする事は、美容手順の最も難しく、複雑で冗長な部分です。
保護シールドを使わずに、マスカラやアイシャドウを目のまわりに塗ることは、けして望ましくない。誤用で、使用者がアイメイクアップの汚れから、年老いてみえたり、疲れたように見えないように守ることができる。このような小さな操作の手本で、目の下に少量のマスカラや、アイシャドウの粉が目の下や、鼻筋、ほほに分散することを、アイラッシュガードを使うことで明らかになり。
このようなばらつきが、汚れた毛穴になりうると思われている。加えて、汚れを落とそうとして、目の下のエリアをこすっても、けして十分に落とすことはできず、その結果、激しい目の炎症を起こし、くまやたるみを、繊細に隠さないといけない。繊細な作業が、時間を消費し、くまや目のたるみをごまかす。特に、どんな専門家でも知るように、破損箇所を、コンシーラーやファンデーション、パウダーで塗り隠すことは不可能にあたる。使用者は、メイク落としに、そしてメイクに、すばらしい効果を得るため、自らの大切な時間を多く使用しなければならない。おってストレスが生じ、欲求不満、不安を抱え、時間も奪われてしまう。【０００３】  保護シールドは、まつげに色を付ける処置中、そして、まつげの着色除去使用中に不可欠。永続的に、目の下にしみが付く事を避ける事によって、ダメージした表皮が取り除かれ、新品の様に皮膚細胞が成長する。加えていえば、この創案は、まつげの成長手順を保護して、助けるのに、とても効果的です。【０００４】  保護シールドは、アイメイクアップの除去中に、目のまわりの傷つきやすい肌を刺激し、目やまぶたの肌にダメージを起こし、早期の高齢化、しわ、乾燥、着色、そしてまつげを失わないように不可欠で、肌の着色は、マイクロメイクアップの、黒や濃い色のアイメイクアップの小さな粒が、皮膚の中に滲入しするともいわれる。保護シールドは、まつげが抜け落ちたり、まぶたや、目が炎症がしないよう、保護し、助ける。さらに、無保護アイメイクアップ落としによる、しわの構成、シャドウやたるみがもたらす、過度の肌の張り、肌が引っ張られたり、伸びたりする動作から守る。【０００５】  プロのメイクアップアーティストには、目の周りのための保護シールドは不可欠であり、化粧品学者や個人的な使用者が、マツカラ、アイシャドウ、接着剤や着色から目の下を汚さずに、すばやく、そして長くまつげを完成させることができる。手が制限されないことを求め、時間を節約することは、美容手段のとても重要な目標として、アイラッシュガードの固定範囲を正確にする能力ができるようになった。【０００６】  メイクアップ除去、また塗布に、いくつかの多種の考案物が提案された。
例：米国パット番号、６．６４０．８１４  発行  バーク（Ｂｕｒｋｅ）・米国パット番号、５．９５７．１４２  発行  カラフィリス（Ｋａｒａｆｉｌｉｓ）・米国パット番号、５．１７８．１７０  発行  カッサイ（Ｋａｓｓａｉ）・米国パット番号、５．０１６．６５８  発行  グリーン（Ｇｒｅｅｎ）・米国パット番号、２００４／０２５５９７１  発行  ハングトン（Ｈｏｕｇｈｔｏｎ）・米国パット番号、Ｄ５３６．１２９  発行  デイビス（Ｄａｖｉｓ）・米国パット番号、３．８８４．２３２  発行  バラウン（Ｂｒａｕｎ）。これらは、目の角度に握ると思われる、プラスチックマスカラプロテクター。けれども、手から落ちて、目を傷つけてしまう。これらの工具は、手に震えのある方だけでなく、ほかの方々にも危険である。これらの工具の、アイシャドウの粉が落ちる範囲はとても狭く、肌を守るには滑らかすぎであった。このような滑らかなプラスチックの表面の工具は、マツカラを工具の下に浸透させ、肌に貼り付き、目の下のメイクアップの範囲を破壊する。このすべての工具は、とても限定させた効果しか得られない。アイラッシュの伸長処置中や、アイラッシュの着色、また永久的なメイクアップのタトゥーを入れる際に、専門家は両手を遣わなければならなく、手握りシールドを使うことは不可能である。この工具は、使い捨てではなく、適切に細菌がされることができなく、公共機関での使用用には作られていない。【０００７】  他種の保護シールドは、紙や、布から作られていて、こちらも問題がある。
例：米国パット番号、Ｄ５３３．３０２  発行  ルチアーノ（Ｌｕｃｉａｎｏ）・米国パット番号、Ｄ４６１．２７８  発行  タケチ（Ｔａｋｅｃｈｉ）・米国パット番号、５．０５０．６２４  発行  コーベ（Ｋｏｂｅ）・米国パット番号、１．８５０．５４０  発行  エリックソン（Ｅｒｉｃｋｓｏｎ）。これらの工具は、とても小さく、手で握ることを多く必要とされた。このすべての工具は、とても限定させた効果しか得られない。【０００８】  今日、市場に出されている、いくつかのアイメイクアップ保護は、直接目の下に付着させる固定する用具です。この範囲は、顔の持つ、肌のもっとも薄い、繊細な場所。
このような肌の箇所に、繰り返し付着物を使うと、前回付着させた、付着物が目の下の化粧範囲を破壊し、過度の肌の剥離、着色、アレルギー反応などいくつかの炎症を起こす。【０００９】  これらの工具は、目のまわりの肌を守るように考案されていません。
例：米国パット番号、Ｄ４９９．５０９  発行  ヒロイ（Ｈｉｒｏｉ）・米国パット番号、Ｄ４２６．０１９  発行  アクキ（Ａｃｋｉ）・米国パット番号、Ｄ４８７．９４２  発行  ヒロイ（Ｈｉｒｏｉ）・米国パット番号、Ｄ４２３．７１２  発行  アクキ（Ａｃｋｉ）．。これらは顔のマスクシートで、浸けて浸透させる、お肌治療法のスキンケア製品です。クリームマスクやローション、血清やパラフィンを塗る際に使われる。
【発明が解決しようとする課題】
【００１０】  オリジナル  アイラッシュ  バタフライ  ガードは、多様の効果と、決定的な有益な助けに展開できる。目の保護範囲の総合の工具であり。美容分野で専門家や個人使用者から、すばらしい反響をえています。アイメイクアップ中に、手が制限されなく、目のまわりの範囲をしっかり固定し、時間を節約することは、美容手段のとても大切な目標と呼びかけています。多くのアイメイクアップシールドの前発明は、社会に広く承認されなく、利用されなかった、なぜなら、それらは、美容事業のための、すべての重要性に合わなかったからである。その結果、発明家のデザインした、オリジナル  アイラッシュ  バタフライ  ガードは、専門職や、個人使用者の数多くの要求を取り入れ、目の範囲を保護する、広範囲の工具を、発明しなければならなかった。
【００１１】  アイラッシュ  ガードは、使用者が、長く密なまつげを得る助けをする。その改良は、ストレスなく、楽しく、まつげにマツカラをつけやすくする。
【００１２】  たくさんの女性は、目の腫れ、目の下のふくらみを持っている。それらは、繰り返しマツカラを使いからで、目の下に、アライグマのような目の輪を作らず、マツカラを付けるのは不可能である。その上、目の下のふくらみや、まつげ下のマツカラの塗りを汚すことなく、しみや汚れを落とすことなどできない。それがもうひとつの、アイラッシュガードが、とても使える発明といえる。
【００１３】  オリジナル  アイラッシュ  バタフライ  ガードは、しみやくまが、日常のアイメイクアップ除去に使われる、きつい化学薬品から、構成されないように、繊細な目の下の肌を保護するために発明された。
【００１４】  黒い着色の使用者は、白色のアイラッシュガードを使うことによって、黒のまつげの伸長処理も同様に、黒のマツカラの増進を簡単にする。
【００１５】  手を使わずに使うアイラッシュガードは、メイク中や、まつげの着色処理中、まつげの染料を落とす際のお肌を守ります。加えて、メイクアップタトゥーを入れる際にも利用できます。アイラッシュガードは、アイラッシュの伸長処理中の保護を助けるものとしても使え、それによって処置を早く済ますことができる。上下まつげの接着剤を塗る際に、接着剤を残す原因を、保護をすることになる。すべての手で握る商品は、とても使用制限が限られています。
両手を使わなくてはいけない、永久性のメイクアップ  タトゥーや、まつげの着色、まつげの伸長処理中に、手で握るシールドを使うことは不可能である。
【００１６】  オリジナル  アイラッシュ  バタフライ  ガードは、滑らかなプラスチックや、直接目の下に付着させる用具として構成されていません。この範囲は、ちょうど顔の持つ、肌のもっとも薄い、繊細な場所で、アイメイクアップを塗る目の下の、過度の肌のダメージや破壊となる。こういった理由から、アイラッシュガードはとても重要で、安心に利用できる。肌に付着される必要はなく、目の下のアイメイクアップ範囲を破壊せず、何のダメージにもなりません。
【００１７】  アイラッシュガードは、とても安心で、手を自由に使える工具です。これらは、手で握るプラスチックマスカラ保護のように、目のメイクアップを付ける反対の角度に握る必要もない。そのことで、手に震えのある方だけでなく、ほかの方々にも危険はなく、使用ができます。
【００１８】  オリジナル  アイラッシュガードのデザインは、目の周りを汚さずにメイク落としを、よりもっとすばやく落とすことができ、使用者の使い方に合わせ、非常に多産に、事業の状況、家のどちらにも使用いただけます。そしてお金と、時間を節約できる手助けをします。
【００１９】  オリジナル  アイラッシュガードは使い捨てで、幅広い事業に使用され、きわめて重要な効果を得ている：スパ、サロン、劇場や映画の製作スタジオ。
アイラッシュガードは、医療機関の医学者が、患者の目や、繊細な目のまわりの肌、まつげ守るために、どうしても必要とされています。アイラッシュガードの殺菌性や使い捨ての使い道は、いくつかの医療処置にとても役くだっています。
【図面の簡単な説明】
【００２０】  製図の中：【００２１】  第１図のアイラッシュガード正面図は、本発明の原理と一致する構成で、アイラッシュガードの後部は、表とまったく同じ。【００２２】  第２図は、ブラケット第１図の拡大面【００２３】  第３図は、鼻の形を調整する部分の正面図、第１図の製図でも見られる、サイズ調整、アイラッシュガードの中心部分。後部は、表とまったく同じ。【００２４】  第４図は、保証構造の正面図で、第１図、第５図から第９図につながる製図。
後部は、表とまったく同じ。【００２５】  第５図は、使用者の顔の正面図構成、使い方の本発明の原理。【００２６】  第６図は、使用者の顔の正面図構成、使い方の本発明の原理。【００２７】  第７図は、アイラッシュガード第６図の横側、使い方の本発明の原理。【００２８】  第８図は、使用者の顔の正面図構成、使い方の本発明の原理。【００２９】  第９図は、アイラッシュガード第８図の横側、使用者の顔の正面図構成、使い方の本発明の原理。
【実施例】
【００３０】  この発明は、詳細説明を参照し、製図と合わせて、朗読すればよりはっきりと理解されるでしょう。オリジナル  アイラッシュ  バタフライ  ガードは、目のメイクアップをする際に使う、現在の発明を具体化したものです。第１図、第５図から第９図を参照、アイラッシュガードは、鼻の柱の周りＢに、しっかりと固定させるようにデザインされ、どんなサイズの目Ａ１の、上と下に、しっかり固定し、そして、両側の顔Ｃを安定させる、その結果、化粧中また処置中に手を使わずに済む。【００３１】  第１図から見えるように、本体は平らにできています。アイラッシュガードを真ん中で折り曲げた際の、右側と左側は、鏡像である。第５図から９図が表すのは、形を変えて、使用者の顔につける部分。第５図は、顔への調整方法と着用法を現しています。第６図から９図では、アイメイクアップ中の、まぶた１Ａと目の周囲１Ａの下を保護する方法を示しています。この位置のアイラッシュガードは、第６図、第７図で表されています。さらに、この商品は、アイメイクアップを落とす最中、まつげの伸長処理、永久メイクアップタトゥーや着色中にも、使うことができます。【００３２】  アイラッシュガード第５図から９図は、とても心地よい着け心地で、サイズ調整しやすくできています。そして、薄く、軽い本体に製造されています。その結果、アイラッシュガードは、目の周囲に圧力をかけません。線１Ａの、目の周りに正確に装着されることで、大きく、滑らかなプラスチックかが起こす、マツカラの漏れを防ぎます。【００３３】  第１図、第５図から第９図を参照、アイラッシュガードの３箇所のから成る。
鼻の形を調整する部分Ｂは、サイズ調整をする働きをする、第１図、第３図、第５図から９図。第４図から９図の本体を、顔の両側を、安定させるＣ。第１図が示すのは、２つの箇所を接続し、本体を安定させる。【００３４】  本体Ａの第１図、第５図から第９図は、光沢のない、低アレルギー性、マツカラを通さない紙や布を使用しています。これらの素材は半浸透性で、液体アイメイクアップや粉が、使用者の顔全体に、本体から漏れたり、こぼれたりし、肌にしみをつけないようにする。一部分は、長方形長さ１．８５ＣＭ  幅０．４５ＣＭ（第１図）に切られています。【００３５】  プラスチックや他の合成物や、呼吸性のないもの、光沢素材は、顔に汗をかかせ、目の場所の、化粧層を、すばやく痛める。これらの用具は、肌に付着させないといけないもので、アイラッシュガードの製造としては避けるべきである。【００３６】  ２つ目の本体の、鼻の形を調整するＢは、アイラッシュガード本体Ａの中心部にある：第１図、第３図、第５から９図。それは金属からできています。この種類の金属は、厚く、適応性があり、サイズ調整器のＢの、Ｕ型にしっかりと、固定させることができる。使用者は、本体を曲げ、体のＡに乗せ、指でＵを描く。真ん中を少し折り、先端をあわせる。アイラッシュガードを、１Ａが、第５図から９図の、目の下、まぶたの上に完全にあわせるように、鼻柱Ｂの周りにしっかりと固定させなければいけない。金属が柔軟すぎると、顔にアイラッシュガードを安定させる時、収縮自在の耳輪を、ピンと張り伸ばすことができない。第３図の長方形の本体のパートＢは、長さ４５ｍｍ、１Ｂと２Ｂは幅４ｍｍ。鼻の形を調節する金属の箇所、第１図、第６図から第９図は、アイラッシュガードの上横に、肌から離し位置させる。【００３７】  使用者の顔を保護する方法の、同一の２本の薄い、ライテックス  フリー収縮自在耳輪Ｃ第５から９図、それぞれ長さ１６８ｍｍ３Ｃ  第４図。１Ｃの先は、本体Ａの１ＡＣと接続していなければいけない。２Ｃは、２ＡＣと接続していなければいけない。右の耳輪の接続側と、耳輪の長さは、左側とまったく同じである。アイラッシュガードを、使用者の顔に、安定させることで、化粧中に手を自由に使え、広い範囲で、目のまわりの美容処理を行える。【００３８】  第１図を参照、本商品の、長く柔軟性のある本体Ａが、まぶたやまつげの下１Ａの曲線に沿って、繊細な目の周囲を守る。アイラッシュガードを真ん中で折り曲げた際の、右側と左側は、鏡像である。本体１の長さは、１８５ｍｍ、幅２、４５ｍｍ。中間線３は、３５ｍｍ。
上の先端Ｚ、鼻の部分のために、湾曲の線をかくことができた。中間線３から線５は、目１Ａの半月曲を描くのを助ける１Ａ、線４は、４０ｍｍ。線５からアイラッシュガードの横の線６は、５２．５ｍｍ。折れた線は、２０ｍｍ。上の先端Ｒから、本体の底の端のポイントＹの線７は４５ｍｍ、目の部分のために、半月曲の線をかくことができた１Ａ。滑らかな線が、ポイントＰから、鼻を描く確認をする。線８は、７ｍｍ。ＰからＳまでは、４５ｍｍ。折れた線９は、２０ｍｍで、底の鼻の曲線を、簡単に描く。鼻の曲線の底のポイントから、底の線Ｂの金属サイズ調整１０は、５ｍｍ。【００３９】  第１図を参照、本体は２つの横面があり、それは伸縮自在の耳輪Ｃを接続するためにデザインされた。本体の上横の角から、目の曲線の始まり１１までは、２５ｍｍ。本体の横１２は、２５ｍｍ。上の横角から、伸縮自在な耳輪の接続部分１Ｃ、そして、底の横角から、伸縮自在な耳輪の接続部分２Ｃは、６ｍｍ。ｄとｅの、目の曲線にある、４つの端の角を取り除いた。４つすべての角の、半球ｒの長さは同じで、６ｍｍ。第２図は、これらの角の拡大図。【００４０】  商品の製造は、健康と体のために、商品の安全性に適した、清潔な場所で行われなければならない。商品の素材と包みは、清潔で、中毒性のない、ラテックス、匂い、ほこりのない物。商品の一部分は、音融合、のり、粘着テープで接続される。【００４１】  オリジナル  アイラッシュ  バタフライ  ガードの製造処理は、とてもシンプルで手価格に生産されています。それは、リサイクル素材から作られる、３部分から成り立っています。【００４２】  アイラッシュ  ガードは、使用者が、長く密なまつげを得る助けをする。その改良は、まつげにマツカラをつけやすくする。アイラッシュ  ガード第１図、第５図から９図は、マツカラの筆を、表面Ａに固定させて使用するのを助ける。使用者は、適切な量のマツカラを、固まりを作らず、汚すことなく、まつげに均等に、塗ることができる。均等な層のマツカラを、すべてのマツカラに塗り、マツカラが肌の上に落ちるのを妨げる。オリジナル  アイラッシュ  バタフライ  ガードを使わずに、このような成果を得ることはありえない。【００４３】  オリジナルアイラッシュガードは、日常のアイメイクアップ除去中に、強い化学薬品から、目のまわり１Ａの繊細な肌を守り、くまやしわが作られることから守るように、発明されました。
アイラッシュガード本体Ａに対して、やさしくまつげを押し付け、アイメイクアップ除去剤をしみ込ませた消毒綿で、まつげを擦ることなく、やさしくきれいにする。アイラッシュガードのデザインは、保護シールドと消毒綿に、マスカラの放散するようにし、それによって、肌にマツカラが放散しないようにする。加えて、本商品は、まつげが抜け落ちたり、まぶたや、目が炎症がしないよう、保護し、助ける。さらに、無保護アイメイクアップ落としによる、しわの構成、シャドウやふくらみがもたらす、過度の肌の張り、肌が引っ張られたり、伸びたりする動作から守る。要約すると、アイラッシュガードによって、アイメイク落としを高め、そし簡単で、健康を増進する。【００４４】  前記から、この開発は、簡単で低価格な新商品、独特で、目の化粧中や、肌、まつげの保護に、効果的な改善をなしたことは明白である。
【図１】
2012509090.tif 000003
【図２】
2012509090.tif 000004
【図３】
2012509090.tif 000005
【図４】
2012509090.tif 000006
【図５】
2012509090.tif 000007
【図６】
2012509090.tif 000008
【図７】
2012509090.tif 000009
【図８】
2012509090.tif 000010
【図９】
2012509090.tif 000011
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
人間のまつげの成長線は、頬の骨の辺りから始まっており、まつげやまぶたにアイメイクが着いた際の汚れで、肌のダメージを妨ぎ、きちんと肌を守ります。
ａ．本体の長い曲線、直線、そして対称な二つの半円型が、顔の自然な曲線にしっかりと載り、人間のまつげの成長線が始る、頬の骨の辺りの両サイドの顔を覆い、両目のテンプレートからテンプレートを、鼻筋にしっかりと載せ、正確に保護する。
ｂ．本体は、自然な、光線、細く柔軟な素材でできている。
ｃ．本体の中心部分の幅は、おおむねに全本体より幅が狭く、それゆえに、商品の形はちょうど、まつげの下と鼻筋の上に、柔軟なメタルの箇所が、商品の曲線中心部のサイズ調整を固定する。
ｄ．伸縮性のある２本の耳ゴムひもを使用者の顔にしっかりと固定するために、耳に掛ける。
【請求項２】
請求項１の、工具の請求は、細い柔軟な金属が、鼻の箇所を水平に、そして、使用者の鼻柱の周りにしっかりと固定された。
ａ．メタルの箇所は商品を、安全に、そしてどんなサイズにも適切に合わせ、目の形や位置、まつげのルーツの近くに持って行く事ができる。
【請求項３】
商品クライム１は、長い本体で、輪状の形の耳ゴムひもと接続し、使用者の顔の両側を固定する、それによって、手を使わずに化粧ができ、または、広範囲の美容手順、目のまわりの特徴を説明する。
【請求項４】
目のまわりの肌を守る方法は、まつげやまぶたにアイメイクが着いた際の汚れが、肌にダメージを受けること防ぐ事から成る。
ａ．本体中心をしっかりと鼻筋に載せ曲げ、使用者の顔を、目の下のエリアからまつげの生え際、頬の骨の始りまで覆うように置き、アイメイクアップをしている間じゅうのまぶたとまつげの、アイメイクアップの汚れが付かないように覆う。
ｂ．本体を、まぶたとまつげに覆いかぶせ、まつげの生え際から額の始まりまで、メイクアップ中の、アイメイクアップの汚れが付かないように位置づける。
ｃ．使用者の顔を、収縮自在の耳輪でしっかりと固定し守る、それによって、手を使わず自由に、まつげやまぶたに汚れをつけず、アイメイクアップすることができ、この中に特徴を述べることができた。
【手続補正書】
【提出日】平成22年3月13日(2010.3.13)
【手続補正１】
【補正対象書類名】明細書
【補正対象項目名】全文
【補正方法】変更
【補正の内容】
【発明の詳細な説明】
【背景技術】
【０００１】  オリジナル  アイラッシュ  バタフライ  ガードの現在の考案は、美容分野で使用される使い捨てシールドを使い、アイメイクアップ中にメイクが落ちることから、肌、目、まつげを守るものである。【０００２】  目のまわりのエリアは、どんな美容の処置の分野でも重要な意味を持ちます。
アイメイクアップをする事は、美容手順の最も難しく、複雑で冗長な部分です。
そのために、アイラッシュガードを使わず、マスカラやアイシャドウを目のまわりに塗ることは、けして望ましくない。誤用し、使用者がアイメイクアップの汚れから、年老いてみえたり、疲れたように見えないように守ることができる。このような小さな操作の手本で、目の下に少量のマスカラや、アイシャドウの粉が、鼻筋、ほほに分散することを、アイラッシュガードを使うことで明らかになり。このようなばらつきが、汚れた毛穴になりうると思われている。加えて、汚れを落とそうとして、目の下のエリアをこすり、シャドウが際立たなくなり、肌や目が炎症を起こす、十分な理由として切り離すことができない。繊細な作業が、時間を消費し、くまや目のふくらみをごまかす。特に、どんな専門家でも知るように、破損箇所を、コンシーラーやファンデーション、パウダーで塗り隠すことは不可能にあたる。使用者は、メイク落としに、そしてメイクに、すばらしい効果を得るため、自らの大切な時間を多く使用しなければならない。おってストレスが生じ、欲求不満、不安を抱え、時間も奪われてしまう。【０００３】  アイラッシュガードは、まつげの着色処置中、そして、まつげの着色除去使用中に不可欠。永続的に、目の下にしみが付く事を避ける事によって、ダメージした表皮が取り除かれ、新品の様に皮膚細胞が成長する。加えていえば、この創案は、まつげの成長手順を保護して、助けるのに、とても効果的です。【０００４】  アイラッシュガードは、日常のアイメイクアップの除去中に不可欠です。
きつい化学薬品は、繊細な保護されていない、目のまわりの傷つきやすい肌を刺激し、目やまぶたの肌にダメージを起こし、早期の高齢化、しわ、乾燥、着色、そしてまつげを失うことは多大な事実である。肌の着色は、マイクロメイクアップの、黒や濃い色のアイメイクアップの小さな粒が、皮膚の中に滲入しするともいわれる。【０００５】  プロのメイクアップアーティストには、目の周りのための保護シールドは不可欠であり、化粧品学者や個人的な使用者が、マツカラ、アイシャドウ、接着剤や着色から目の下を汚さずに、すばやく、そして長くまつげを完成させることができる。前の創案では満たすことができなかった、手が制限されないことを求め、時間を節約することは、美容手段のとても重要な目標として、アイラッシュガードの固定範囲を正確にする能力ができるようになった。【０００６】  メイクアップ除去、また塗布に、いくつかの多種の考案物が提案された。
例：  米国パット番号、６．６４０．８１４  発行  バーク
米国パット番号、５．９５７．１４２  発行  カラフィリス
米国パット番号、５．１７８．１７０  発行  カッサイ
米国パット番号、５．０１６．６５８  発行  グリーン
米国パット番号、２００４／０２５５９７１  発行  ハングトン
米国パット番号、Ｄ５３６．１２９  発行  デイビス
米国パット番号、３．８８４．２３２  発行  バラウン
これらは、目の角度に握ると思われる、プラスチックマスカラプロテクター。けれども、手から落ちて、目を傷つけてしまう。これらの工具は、手に震えのある方だけでなく、ほかの方々にも危険である。これらの工具の、アイシャドウの粉が落ちる範囲はとても狭く、肌を守るには滑らかすぎであった。このような滑らかなプラスチックの表面の工具は、マツカラを工具の下に浸透させ、肌に貼り付き、目の下のメイクアップの範囲を破壊する。このすべての工具は、とても限定させた効果しか得られない。アイラッシュの伸長処置中や、アイラッシュの着色、また永久的なメイクアップのタトゥーを入れる際に、専門家は両手を遣わなければならなく、手握りシールドを使うことは不可能である。この工具は、使い捨てではなく、適切に細菌がされることができなく、公共機関での使用用には作られていない。【０００７】  他種の保護シールドは、紙や、布から作られていて、こちらも問題がある。
例：米国パット番号、Ｄ５３３．３０２  発行  ルチアーノ
米国パット番号、Ｄ４６１．２７８  発行  タケチ
米国パット番号、５．０５０．６２４  発行  コーベ
米国パット番号、１．８５０．５４０  発行  エリックソン
これらの工具は、とても小さく、手で握ることを多く必要とされた。
このすべての工具は、とても限定させた効果しか得られない。【０００８】  今日、市場に出されている、いくつかのアイメイクアップ保護は、直接目の下に付着させる用具で、米国、２００９０１５１７１１  Ａ１  発行  ヴィラヌエヴァ。この範囲は、顔の持つ、肌のもっとも薄い、繊細な場所。このような肌の箇所に、繰り返し付着物を使うと、前回付着させた、付着物が目の下の化粧範囲を破壊し、過度の肌の剥離、着色、アレルギー反応などいくつかの炎症を起こす。【０００９】  これらの工具は、目のまわりの肌を守るように考案されていません。
例：米国パット番号、Ｄ４９９．５０９  発行  ヒロイ（Ｈｉｒｏｉ）・米国パット番号、Ｄ４２６．０１９  発行  アクキ（Ａｃｋｉ）・米国パット番号、Ｄ４８７．９４２  発行  ヒロイ（Ｈｉｒｏｉ）・米国パット番号、Ｄ４２３．７１２  発行  アクキ（Ａｃｋｉ）．。これらは顔のマスクシートで、浸けて浸透させる、お肌治療法のスキンケア製品です。クリームマスクやローション、血清やパラフィンを塗る際に使われる。
そして、・米国  ２００４０２３１６９４  Ａ１  発行  ローゼンブラット（Ｒｏｓｅｎｂｌａｔｔ）・日本番号  ０７−２０９０６８  Ａ  発行  コクニ・韓国  １０−２００７−００２５１５８  Ａ  キム・韓国  ２０−０２９４０５３  Ｙ１  タラエインターナショナル  コーポレーション。これらは、眉毛の模擬実験のための工具テンプレートです。これらの工具は、まつげやまぶたをアイメイクアップ（マツカラ、アイシャドウ）の塗薬から、肌を汚れから守るように考案されていません。これらの、眉毛テンプレートは、まつげの生え際まで近づき、まぶたの上やアイラッシュの下にしっかりと固定するこてができなかった。眉毛テンプレートの中心部分は、アイラッシュガードではできたが、鼻筋よりはるか上に切られていて、メタルの箇所を鼻筋にしっかりと載せることが不可能であった。特徴としては、どのようなサイズや、形、目の位置にも調整させられ、それを仕組みとして使用されるために、まつげのルーツの近くに商品をきちんと持って行く事ができる。眉毛テンプレートは、このような特徴として利用することにデザインされていない。眉毛テンプレートの保証商品は、収縮自在のヘッドバンドで、使用者の顔をしっかり固定し、２本の収縮自在の耳輪が、使用者の耳に心地いい。
【発明が解決しようとする課題】
【００１０】  オリジナル  アイラッシュ  バタフライ  ガードは、多様の効果と、決定的な有益な助けに展開できる。目の保護範囲の総合の工具であり。美容分野で専門家や個人使用者から、すばらしい反響をえています。アイメイクアップ中に、手が制限されなく、目のまわりの範囲をしっかり固定し、時間を節約することは、美容手段のとても大切な目標と呼びかけています。
【００１１】  アイラッシュ  ガードは、使用者が、長く密なまつげを得る助けをする。その改良は、ストレスなく、楽しく、まつげにマツカラをつけやすくする。
【００１２】  たくさんの女性は、目の腫れ、目の下のくまを持っている。それらは、繰り返しマツカラを使うからで、目の下に、アライグマのような目の輪を作らず、マツカラを付けるのは不可能である。その上、目の下のくまに触れることなく、そしてマツカラを汚すことなく、しみや汚れを落とすことなどできない。それがもうひとつの、アイラッシュガードが、とても使える創案の原因と証明される。
【００１３】  オリジナル  アイラッシュ  バタフライ  ガードは、日常のアイメイクアップ除去に使われる、きつい化学薬品から、繊細な目の下の肌を保護するために発明された。
【００１４】  黒のまつげの伸長処理、黒のマツカラを使用することで出来た、黒い沈着のある使用者は、白色のアイラッシュガードを使うことによって守られる。
【００１５】  手を使わずに使うアイラッシュガードは、メイク中や、まつげの着色処理中、まつげの染料を落とす際のお肌を守ります。加えて、メイクアップタトゥーを入れる際にも利用できます。アイラッシュガードは、アイラッシュの伸長処理中の保護を助けるものとしても使え、それによって処置を早く済ますことができる。上下まつげの接着剤を塗る際に、接着剤を残す原因を、保護をすることになる。
【００１６】  オリジナル  アイラッシュ  バタフライ  ガードは、滑らかなプラスチックや、直接目の下に付着させる用具として構成されていません。この範囲は、ちょうど顔の持つ、肌のもっとも薄い、繊細な場所で、アイメイクアップを塗る目の下の、過度の肌のダメージや破壊となる。こういった理由から、アイラッシュガードはとても重要で、安心に利用できる。肌に付着される必要はなく、目の下のアイメイクアップ範囲を破壊せず、何のダメージにもなりません。
【００１７】  アイラッシュガードは、とても安心な工具です。これらは、手で握るプラスチックマスカラ保護のように、手に震えのある方だけでなく、ほかの方々にも危険はなく、目のメイクアップを付ける反対の角度に握る必要もなく、手を自由に使えます。
【００１８】  オリジナル  アイラッシュガードのデザインは、目の周りを汚さずにメイク落としを、よりすばやく落とすことができ、使用者の使い方に合わせ、とても多産に、事業の状況、家のどちらにも使用いただけます。そしてお金と、時間を節約できる手助けをします。
【００１９】  オリジナル  アイラッシュガードは使い捨てで、幅広い事業に使用され、きわめて重要な効果を得ている：スパ、サロン、劇場や映画の製作スタジオ。アイラッシュガードは、医療機関の医学者が、患者の目や、繊細な目のまわりの肌、まつげ守るために、どうしても必要とされています。アイラッシュガードの殺菌性や使い捨ての使い道は、いくつかの医療処置にとても役立っています。
【図面の簡単な説明】
【００２０】  製図の中：【００２１】  第１図のアイラッシュガード正面図は、本発明の原理と一致する構成で、アイラッシュガードの後部は、表とまったく同じ。【００２２】  第２図は、ブラケット第１図の拡大面【００２３】  第３図は、鼻の形を調整する部分の正面図、第１図の製図でも見られる、サイズ調整、アイラッシュガードの中心部分。後部は、表とまったく同じ。【００２４】  第４図は、保証構造の正面図で、第１図、第５図から第９図につながる製図。後部は、表とまったく同じ。【００２５】  第５図は、使用者の顔の正面図構成、使い方の本発明の原理。【００２６】  第６図は、使用者の顔の正面図構成、使い方の本発明の原理。【００２７】  第７図は、アイラッシュガード第６図の横側、使い方の本発明の原理。【００２８】  第８図は、使用者の顔の正面図構成、使い方の本発明の原理。【００２９】  第９図は、アイラッシュガード第８図の横側、使用者の顔の正面図構成、使い方の本発明の原理。
【実施例】
【００３０】  オリジナル  アイラッシュ  バタフライ  ガードは、本発明の実施例によれば、アイメイクアップをする際の使い捨て工具です。この発明は、詳細説明を参照し、製図と合わせて、朗読すればよりはっきりと理解されるでしょう。【００３１】  第１図、第５図から第９図を参照、アイラッシュガードの３箇所のから成る図：本体Ａは、長く、薄い左右対称の形で、２つの半球の形をした本体が、まつげの根にできるだけ近づき、両側のまぶた、目の下の範囲をしっかりと覆い、人の湾曲な目にしっかりとかぶさる。
鼻の形を調整する部分Ｂは、鼻の柱のまわりに、本体をしっかり固定し、サイズ調節をするようにデザインされた。安全な仕様部分Ｃは、本体の両側にある、収縮自在の耳輪です。【００３２】  第１図から見えるように、本体は平らにできています。第５図から第９図は、改変する外形で、使用者の顔に合わせる形にできています。第５図は、どのように調節し、本体を顔に装着するかを表しています。際６図から第９図は、本体が、まぶたや、目の下の範囲をアイメイクアップから、どう守るかを示しています。第６，７図に関しては、アイラッシュの伸長処置中や、アイラッシュの着色、また永久的なメイクアップのタトゥー入れる際に、アイメイクアップの除去中にも使用できるデザインされたことを示しています。眉毛の着色処理には、石油のジェルをが使われるため、本体の下にもっと保護する必要があります。【００３３】  本体Ａの第１図、第５図から第９図は、光沢のない、低アレルギー性、マツカラを通さない紙や布を使用しています。これらの素材は半浸透性で、液体アイメイクアップや粉が、使用者の顔全体に、本体から漏れたり、こぼれたりし、肌にしみをつけないようにする。一部分の、長方形長さ１．８５ＣＭ  幅０．４５ＣＭ（第１図）に切られています。【００３４】  アイラッシュガードは、多様の検査を受けました。本体の、いくつかのサイズと、箇所の違いを改造し、オリジナル  アイラッシュ  バタフライ  ガードは、しっかりと固定し、心地よく使えるようになりました。第１図に関しては、本体の長さは、１．８５ＣＭ。本体Ａの上角から、アイラッシュの始まり１Ａまでは２５ｍｍ。本体Ａの両側２は、２本の等しい収縮自在の耳輪Ｃ、第４図は２５ｍｍ。本体Ａの線３下角から、下角４の始まりまで、１５ｍｍ。線１と２は、線２と３を角度９０度で区切る。本体Ａの上角から、耳輪の接続部分１ＡＣの先端と、下角の耳輪接続部分２ＡＣまでは、６ｍｍ。目の範囲を守る、本体の半球型の線１Ａと４は、３０ｍｍ。
半球の線を結ぶ、目の線１Ａと鼻の線６は、３５ｍｍ。ポイントｄとｅをつなぐ、滑らかにした、上の４つ角から、半球６ｍｍの目の線は、第１図と２図。第２図は、これらの角の拡大図。【００３５】  第１図に関して、鼻の形を調節するＢは、狭くなっていく、５から６の１０ｍｍの中心部本体Ａ、この部分は、使用者の顔を第５図から９図に、本体をしっかり固定するため、きわめて重要。下の中心部の鼻の曲がり５から、金属製の鼻の調整部Ｂは、５ｍｍ。【００３６】  ２つ目の本体の、鼻の形を調整するＢは、アイラッシュガード本体Ａの中心部にある：第１図、第３図、第５から９図。それは金属からできています。この種類の金属は、厚く、適応性があり、サイズ調整器のＢの、Ｕ型にしっかりと、固定させることができる。使用者は、本体を曲げ、体のＡに乗せ、指でＵを描く。真ん中を少し折り、先端をあわせる。アイラッシュガードを、半球型１Ａが、第５図から９図の、目の下、まぶたの上に完全にあわせるように、鼻柱Ｂの周りにしっかりと固定させなければいけない。第３図の長方形の本体のパートＢは、長さ４５ｍｍ、１Ｂと２Ｂは幅４ｍｍ。鼻の形を調節する金属の箇所は、アイラッシュガードの上横に、肌から離し位置させる第１図、第５図から第９図。【００３７】  使用者の顔を保護する方法の、同一の２本の薄い、ライテックス  フリー収縮自在耳輪Ｃ第５から９図、それぞれ長さ１６８ｍｍ３Ｃ  第４図。１Ｃの先は、本体Ａの１ＡＣと接続していなければいけない。２Ｃは、２ＡＣと接続していなければいけない、それゆえに、本体の右側は、左側と、鏡に映りだされるよう同じである。【００３８】  アイラッシュガード第５図から９図は、とても心地よい着け心地で、サイズ調整しやすくできています。そして、薄く、軽い本体に製造されています。その結果、アイラッシュガードは、目の周囲に圧力をかけません。線１Ａの、目の周りに正確に装着されることで、大きく、滑らかなプラスチックかが起こす、マツカラの漏れを防ぎます。【００３９】  プラスチックや他の合成物や、呼吸性のないもの、光沢素材は、顔に汗をかかせ、目の場所の、化粧層を、すばやく痛める。これらの用具は、肌に付着させないといけないもので、アイラッシュガードの製造としては避けるべきである。【００４０】  商品の製造は、健康と体のために、商品の安全性に適した、清潔な場所で行われなければならない。商品の素材と包みは、清潔で、中毒性がなく、ラテックス、匂い、ほこりのない物。商品の一部分は、音融合、のり、粘着テープで接続される。【００４１】  オリジナル  アイラッシュ  バタフライ  ガードの製造処理は、とてもシンプルで手価格に生産されています。それは、リサイクル素材から作られる、３部分から成り立っています。【００４２】  アイラッシュ  ガードは、使用者が、長く密なまつげを得る助けをする。その改良は、まつげにマツカラをつけやすくする。アイラッシュ  ガード第１図、第５図から９図は、マツカラの筆を、表面Ａに固定させて使用するのを助ける。使用者は、適切な量のマツカラを、固まりを作らず、汚すことなく、まつげに均等に、塗ることができる。均等な層のマツカラを、すべてのマツカラに塗り、マツカラが肌の上に落ちるのを妨げる。オリジナル  アイラッシュ  バタフライ  ガードを使わずに、このような成果を得ることはありえない。【００４３】  アイラッシュガードは、日常のアイメイクアップ除去中に、目のまわり１Ａの範囲を守るために発明されました。アイラッシュガード本体Ａに対して、やさしくまつげを押し付け、アイメイクアップ除去剤をしみ込ませた消毒綿で、まつげを擦ることなく、やさしくきれいにする。アイラッシュガードのデザインは、保護シールドと消毒綿に、マスカラの放散するようにし、それによって、肌にマツカラが放散しないようにする。加えて、本商品は、まつげが抜け落ちたり、まぶたや、目が炎症がしないよう、保護し、助ける。さらに、無保護アイメイクアップ落としによる、しわの構成、シャドウやふくらみがもたらす、過度の肌の張り、肌が引っ張られたり、伸びたりする動作から守る。要約すると、アイラッシュガードによって、アイメイク落としを高め、そし簡単で、健康を増進する。【００４４】  前記から、この開発は、簡単で低価格な新商品、独特で、目の化粧中や、肌、まつげの保護に、効果的な改善をなしたことは明白である。
【手続補正２】
【補正対象書類名】図面
【補正対象項目名】図１
【補正方法】変更
【補正の内容】
【図１】
2012509090.tif 000012
【手続補正３】
【補正対象書類名】図面
【補正対象項目名】図２
【補正方法】変更
【補正の内容】
【図２】
2012509090.tif 000013
【手続補正４】
【補正対象書類名】図面
【補正対象項目名】図３
【補正方法】変更
【補正の内容】
【図３】
2012509090.tif 000014
【手続補正５】
【補正対象書類名】図面
【補正対象項目名】図４
【補正方法】変更
【補正の内容】
【図４】
2012509090.tif 000015
【国際調査報告】
2012509090.tif 000016
2012509090.tif 000017